【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
(１)添加剤成分を含むコア；及び
(２) 前記コアを実質的に囲み、不溶性で、多くとも２つのモノマーからの単位で構成されるポリマーを含むコーティング、
を含有することを特徴とする、水性システムにおいて使用するための調節された放出添加剤組成物。
【請求項２】
水性システムが、冷却システムである、請求項１に記載の調節された放出添加剤組成物。
【請求項３】
水性システムが、オープン再循環水冷却システムである、請求項１に記載の調節された放出添加剤組成物。
【請求項４】
前記コーティングが、ビニルアセテート及びエチレン性不飽和モノマーからの単位で構成されるコポリマーを含む、請求項１に記載の調節された放出添加剤組成物。
【請求項５】
エチレン性不飽和モノマーが、ビニルベルサテート及びエチレンからなる群より選択される、請求項４に記載の調節された放出添加剤組成物。
【請求項６】
前記コーティングが、(i)ビニルアセテート及び(ii)ビニルベルサテート及び／又はエチレンからの単位で構成されるコポリマーを含む、請求項１に記載の調節された放出添加剤組成物。
【請求項７】
コーティングが、約４５質量％〜約９５質量％のビニルアセテートからの単位、及び約５質量％〜約５５質量％のビニルベルサテートからの単位で構成されるポリマーを含む、請求項１に記載の調節された放出添加剤組成物。
【請求項８】
前記コーティングが、エチルセルロースからの単位で構成されるホモポリマーを含む、請求項１に記載の調節された放出添加剤組成物。
【請求項９】
前記添加剤成分が、ホスホネート、ピロホスフェート、微生物殺生剤、緩衝成分、キャビテーションライナー孔食抑制剤、金属侵食及び熱表面侵食抑制剤、消泡剤、熱表面沈殿及びスケール抑制剤、分散剤、有機酸、界面活性剤及びこれらの混合物からなる群より選択される少なくとも１つの活性成分を含む、請求項１に記載の調節された放出添加剤組成物。
【請求項１０】
添加剤をオープン再循環冷却水システム又はクローズドループボイラー水システムに提供するための液体置換システムであって、該液体置換システムが、
(a)補給液体が入るように構成されかつ配置された補給ライン、及び、
(b)該補給ライン中に配置される添加剤成分を含有する添加剤システム
を含み、該添加剤システムが、補給ラインと流体係合して補給流体が添加剤システムに流れ、かつ添加剤システムを出て補給ラインに戻ってくるようにし、及び、
前記添加剤システムが、添加剤成分の調節された放出を補給液体に補給ラインを通して提供するように構成され、補給液体が、添加剤成分をオープン再循環冷却水システム又はクローズドループボイラー水システムに運ぶことを特徴とする、液体置換システム。
【請求項１１】
補給ラインが、ソースラインと流体係合し、補給液体がソースラインから流れ、補給液体の少なくとも画分が補給ラインに入る、請求項１０に記載の液体置換システム。
【請求項１２】
補給ラインを通過する補給液体の画分が、バルブで調節される、請求項１１に記載の液体置換システム。
【請求項１３】
ソースラインから生ずる補給液体の約５０％未満が、補給ラインに入る、請求項１１に記載の液体置換システム。
【請求項１４】
補給ラインを通して流れる補給液体の流速が、ソースラインを通して流れる補給液体の流速よりも遅い、請求項１１に記載の液体置換システム。
【請求項１５】
ソースライン及び少なくとも１つの追加の補給ラインをさらに含み、ソースラインが、補給ライン及び追加の補給ラインと液体係合し、及び補給液体が、ソースラインから通過し、補給ライン及び追加の補給ラインの少なくとも１つに入る、請求項１０に記載の液体置換システム。
【請求項１６】
追加の補給ラインが、そこに配置される追加の添加剤システムを含む、請求項１５に記載の液体置換システム。
【請求項１７】
追加の補給ラインが、そこに配置される添加剤システムを有さない、請求項１５に記載の液体置換システム。
【請求項１８】
補給ライン及び追加の補給ラインを通過する補給液体が、少なくとも１つのバルブで調節される、請求項１５に記載の液体置換システム。
【請求項１９】
補給ライン及び追加の補給ラインを通過する補給液体が、補給ライン及び追加の補給ラインのそれぞれに配置されたバルブで調節される、請求項１５に記載の液体置換システム。
【請求項２０】
ソースラインから生ずる補給液体の流れの約５０％未満が、補給ラインに入る、請求項１５に記載の液体置換システム。
【請求項２１】
補給ラインを通して流れる補給液体の流速が、ソースラインを通して流れる補給液体の流速よりも遅い、請求項１５に記載の液体置換システム。
【請求項２２】
ソースラインから生ずる補給液体の流れの約９０％未満が、追加の補給ラインに入る、請求項１５に記載の液体置換システム。
【請求項２３】
追加の補給ラインを通して流れる補給液体の流速が、ソースラインを通して流れる補給液体の流速よりも遅い、請求項１５に記載の液体置換システム。
【請求項２４】
添加剤システムが、その中に添加剤組成物を有するコンテナを含み、該コンテナが、補給液体に添加剤組成物と接触し得るように構成される、請求項１０に記載の液体置換システム。
【請求項２５】
添加剤組成物が、調節された放出成分と添加剤成分とを含み、該調節された放出成分が、添加剤成分の調節された放出を提供する、請求項２４に記載の液体置換システム。
【請求項２６】
添加剤組成物が、
(１) 添加剤成分を含むコア；及び
(２) 前記コアを実質的に囲む調節された放出成分、
を含む、請求項２４に記載の液体置換システム。
【請求項２７】
調節された放出成分が、２つのモノマーの単位から作られるコポリマーを含む、請求項２５に記載の液体置換システム。
【請求項２８】
調節された放出成分が、ビニルベルサテート及びエチレン性不飽和モノマーの単位から作られるコポリマーを含む、請求項２５に記載の液体置換システム。
【請求項２９】
調節された放出成分が、約４５質量％〜約９５質量％のビニルアセテートの単位、及び約５質量％〜約５５質量％のエチレン性不飽和モノマーの単位で構成されるポリマーを含む、請求項２５に記載の液体置換システム。
【請求項３０】
添加剤成分が、ホスホネート、ピロホスフェート、微生物殺生剤、緩衝成分、キャビテーションライナー孔食抑制剤、金属侵食及び熱表面侵食抑制剤、消泡剤、熱表面沈殿及びスケール抑制剤、分散剤、有機酸、界面活性剤及びこれらの混合物からなる群より選択される少なくとも１つの活性成分を含む、請求項２５に記載の液体置換システム。
【請求項３１】
添加剤をオープン再循環冷却水システム又はクローズドループボイラー水システムに提供するための液体置換システムであって、該液体置換システムが、ソースライン、第一補給ライン、第二補給ライン、及び、第一補給ライン中に配置される添加剤成分を含む添加剤システムを有し；前記ソースラインが、第一補給ライン及び第二補給ラインと流体係合し；補給液体がソースラインを通過し、及び、第一補給ライン及び第二補給ラインの少なくとも一つに入り；添加剤システムが、添加剤成分をオープン再循環システム又はクローズドループボイラー水システム中に運ぶ第一補給ラインを通して、添加剤成分の調節された放出を補給液体に提供するために構成される、液体置換システム。
【請求項３２】
補給ラインであって、その中に配置された添加剤システムを含み、前記補給ラインが、添加剤をオープン再循環冷却水システム又はクローズドループボイラー水システムに提供するために使用される、補給ライン。
【請求項３３】
補給ラインがソースラインと流体係合し、補給液体がソースラインから生じ、補給液体の少なくとも画分が補給ラインに入る、請求項３２に記載の補給ライン。
【請求項３４】
添加剤システムが、その中に添加剤組成物を有するコンテナを含み、該コンテナが、補給液体に添加剤組成物と接触し得るように構成される、請求項３２に記載の補給ライン。
【請求項３５】
添加剤組成物が、調節された放出成分と添加剤成分とを含み、該調節された放出成分が、添加剤成分の調節された放出を提供する、請求項３４に記載の補給ライン。
【請求項３６】
添加剤組成物が、
(１) 添加剤成分を含むコア；及び
(２) 前記コアを実質的に囲む調節された放出成分、
を含む、請求項３４に記載の補給ライン。
【請求項３７】
添加剤の調節された放出をオープン再循環システム又はクローズドループボイラー水システムに提供する方法であって、該方法が、補給液体を補給ラインに通す工程を含み、該補給ラインが、その中に配置される添加剤システムを有し、前記補給液体が、補給ラインを通過し、オープン再循環システム又はクローズドループボイラー水システムに最終的に供給されることを特徴とする方法。
【請求項３８】
添加剤システムが、その中に添加剤組成物を有するコンテナを含み、該コンテナが、補給液体に添加剤組成物と接触し得るように構成される、請求項３７に記載の方法。
【請求項３９】
添加剤組成物が、調節された放出成分と添加剤成分とを含み、該調節された放出成分が、添加剤成分の調節された放出を提供する、請求項３７に記載の方法。
【請求項４０】
添加剤組成物が、
(１) 添加剤成分を含むコア；及び
(２) 前記コアを実質的に囲む調節された放出成分、
を含む、請求項３７に記載の方法。